(57)【要約】【課題】  電源スイッチのオフ操作に応じコントローラが終了処理（シャットダウン処理）を開始した後、簡単な操作でシャットダウン処理をキャンセルして、即時にジョブの処理が可能な状態に戻せるようにする。【解決手段】  起動後にメインスイッチ４１のオフ操作に従いコントローラ２がスイッチ手段４２側の給電ラインの電源供給を受けてシャットダウン処理に移行する動作を開始した後、予め定められた時間（シャットダウン調整期間）内にメインスイッチ４１のオン操作が行われた場合に、予定していたシャットダウン処理をキャンセルして、即時にジョブの処理が可能な待機状態に戻す。【選択図】  図１
2010282504.tif 000002
【特許請求の範囲】
【請求項１】
電源の供給を受けて作動するコントローラによって機器の動作を制御する電子機器であって、
電源から前記コントローラへの給電経路に設けた随時オン／オフ操作が可能なメインスイッチとしての第１のスイッチと、
前記第１のスイッチのオン／オフの状態を検出するスイッチ状態検出手段と、
前記第１のスイッチと並列に接続され、前記コントローラからの制御信号に応じてオン／オフする第２のスイッチを有し、
前記コントローラは、前記スイッチ状態検出手段によってオフ状態が検出されたことを条件に前記第２のスイッチをオンする制御信号を送る手段と、前記第２のスイッチをオンした時点から予め定められた時間内に前記スイッチ状態検出手段によって前記第１のスイッチのオン状態が検出されない場合に予定した前記コントローラのシャットダウン処理を実行する手段と、前記第２のスイッチをオンした時点から前記予め定められた時間内に前記スイッチ状態検出手段によってオン状態が検出された場合に予定した前記コントローラのシャットダウン処理をキャンセルする手段を備えたことを特徴とする電子機器。
【請求項２】
請求項１に記載された電子機器において、
前記コントローラは、前記第２のスイッチをオンした時点から前記予め定められた時間が経過した後、前記コントローラのシャットダウン処理の実行中に前記スイッチ状態検出手段によってオン状態が検出された場合に、該シャットダウン処理完了後に前記コントローラを再起動する手段を備えたことを特徴とする電子機器。
【請求項３】
請求項１に記載された電子機器において、
前記コントローラの制御下にユーザーインターフェースとして、機器の状態を報知するとともに、操作によって機器への指示入力を行う報知・操作手段を有し、
前記報知・操作手段は、シャットダウン処理のキャンセルを報知する手段であることを特徴とする電子機器。
【請求項４】
請求項３に記載された電子機器において、
前記報知・操作手段は、シャットダウン処理のキャンセルを画面表示、ブザーの少なくとも一方の手段により報知する手段であることを特徴とする電子機器。
【請求項５】
請求項１乃至４のいずれかに記載された電子機器において、
前記報知・操作手段は、シャットダウン処理を実行するかキャンセルするかを決める前記第２のスイッチをオンした時点からの予め定めておく時間を調整するための入力を行う手段を備えたことを特徴とする電子機器。
【請求項６】
請求項１乃至５のいずれかに記載された電子機器において、
前記報知・操作手段は、前記シャットダウン処理をキャンセルする手段を働かせるか否かを指示するための入力を行う手段を備えたことを特徴とする電子機器。
【発明の詳細な説明】
【技術分野】
【０００１】
本発明は、電源の供給を受けて作動するコントローラによって機器の動作を制御する電子機器に関し、より詳しくは、給電経路に設けたメインスイッチが不意にオフされても、コントローラ（制御システム）のシャットダウン処理を可能にする機能を備えた電子機器に関する。
【背景技術】
【０００２】
コピー、ファクシミリ、プリンタ、スキャナー等の機能を複合したデジタル複合機（ＭＦＰ）やサーバー／ＰＣ（パーソナルコンピュータ）等、電力を消費して稼働する電子機器は、ユーザーが直接利用していない状態でも制御システム（コントローラ）が駆動する各種ソフトウェアがバックグラウンドで動作している。従って、動作中のソフトウェアがあるときに不意に電源スイッチをオフすると、必要なデータの不揮発メモリへの待避が行えず、次回の電源投入時に正常に起動できなくなる場合がある。
【０００３】
このような不意の電源オフによって起きる不具合を回避することを可能にした従来技術として、特許文献１，２を例示することができる。
特許文献１には、副電源スイッチにより電源の遮断が指示されると、ジョブの実行中又は登録された予約ジョブの待機中であるか否かが判断され、ジョブの実行中又は予約ジョブの待機中であると判断されると、表示部に「強制終了」、「現状を保存して終了」、「終了動作を中止」の３つの動作項目の中から何れかを選択するための三択表示画面が表示され、タッチパネルにより何れかの動作項目が選択操作されると、選択操作された動作項目に応じて動作を制御する画像形成装置が示されている。
また、特許文献２には、メインスイッチのオン／オフを検知するスイッチ状態検知手段を備え、コントローラがメインスイッチのオフを検知した信号を受け、電源に対しメインスイッチと並列に接続したオン／オフ制御可能なスイッチをオンにする制御信号を出力し、必要データの不揮発メモリへの待避処理が完了するまで電源の出力を保ち、その後電源を切る制御を行う画像形成装置が示されている。
【発明の概要】
【発明が解決しようとする課題】
【０００４】
上述の従来技術においては、ジョブの実行中等のように、動作中のソフトウェアがあるとき、制御部（メインコントローラ）への電源供給が電源スイッチの操作によってオフされた場合に、動作を復旧できる状態で終了する処理或いは正常な終了処理が済むまでは電源を保つが、その後電源を完全にオフする動作を行うことを可能にしている。
ただ、電源スイッチのオフ操作に従い制御部（メインコントローラ）が終了処理を開始した後、オフ操作を誤って行ったことに気付いた場合、即時にジョブを処理可能な状態に復旧させる処理を進めたいという要求になって表れるが、こうした要求に応え、簡単な操作で終了処理をキャンセルして、復旧処理を行う手段については、上述の従来技術においても示されていない。なお、特許文献１では、「終了動作を中止」する動作を可能にしているが、電源スイッチのオフ操作の後、三択表示画面への選択操作によらなければならず、オフ操作を誤りではなく行った人にとっては、操作手順が増えることになってしまい、操作性や利用性において十分とはいえない。
【０００５】
本発明は、制御部（コントローラ）への電源供給が電源スイッチの操作によってオフされた場合に、正常な終了処理（動作を復旧できる状態で終了する処理等）を終えるまでは電源を保つ機能を備えた電子機器における上記従来技術の問題に鑑みてなされたもので、その目的は、電源スイッチのオフ操作に従いコントローラが終了処理を開始した後、簡単な操作で終了処理をキャンセルして、即時にジョブの処理が可能な状態に戻せるようにすることにある。
【課題を解決するための手段】
【０００６】
本発明は、電源の供給を受けて作動するコントローラによって機器の動作を制御する電子機器であって、電源から前記コントローラへの給電経路に設けた随時オン／オフ操作が可能なメインスイッチとしての第１のスイッチと、前記第１のスイッチのオン／オフの状態を検出するスイッチ状態検出手段と、前記第１のスイッチと並列に接続され、前記コントローラからの制御信号に応じてオン／オフする第２のスイッチを有し、前記コントローラは、前記スイッチ状態検出手段によってオフ状態が検出されたことを条件に前記第２のスイッチをオンする制御信号を送る手段と、前記第２のスイッチをオンした時点から予め定められた時間内に前記スイッチ状態検出手段によって前記第１のスイッチのオン状態が検出されない場合に予定した前記コントローラのシャットダウン処理を実行する手段と、前記第２のスイッチをオンした時点から前記予め定められた時間内に前記スイッチ状態検出手段によってオン状態が検出された場合に予定した前記コントローラのシャットダウン処理をキャンセルする手段を備えたことを特徴とする。
【発明の効果】
【０００７】
電源供給が電源スイッチのオフ操作に従ってコントローラが終了処理を開始した後、電源スイッチへのオン操作という簡単かつ自然な操作で終了処理をキャンセルして、即時にジョブの処理が可能な状態に戻せるようになり、操作性及び利便性を高めることができる。
【図面の簡単な説明】
【０００８】
【図１】本発明の実施形態に係る画像形成装置の概略構成を示すブロック図である。
【図２】待機中にメインスイッチをオフした場合における画像形成装置（図１）の動作状態の遷移を示すタイミング図である。
【図３】ジョブ実行中にメインスイッチをオフした場合における画像形成装置（図１）の動作状態の遷移を示すタイミング図である。
【図４】待機中にメインスイッチをオフした後に、再度メインスイッチをオンしてシャットダウン処理をキャンセルした場合における画像形成装置（図１）の動作状態の遷移（実施形態１）を示すタイミング図である。
【図５】ジョブ実行中にメインスイッチをオフした後に、再度メインスイッチをオンしてシャットダウン処理をキャンセルした場合における画像形成装置（図１）の動作状態の遷移（実施形態１）を示すタイミング図である。
【図６】メインスイッチのオフ操作に応じるシャットダウン処理及びオン操作に応じるシャットダウンのキャンセル処理の制御フロー（実施形態１）を示す図である。
【図７】待機中にメインスイッチをオフした後に、再度メインスイッチをオンしてシャットダウン処理をキャンセルしたが、間に合わなかった場合における画像形成装置（図１）の動作状態の遷移（実施形態２）を示すタイミング図である。
【図８】メインスイッチのオフ操作に応じるシャットダウン処理及びオン操作に応じるシャットダウンのキャンセル処理の制御フロー（実施形態２）を示す図である。
【図９】本発明の他の実施形態に係る画像形成装置の概略構成を示すブロック図である。
【図１０】メインスイッチのオフ操作に応じるシャットダウン処理及びオン操作に応じるシャットダウンのキャンセル処理の制御フロー（実施形態３）を示す図である。
【図１１】メインスイッチのオフ操作に応じるシャットダウン処理及びオン操作に応じるシャットダウンのキャンセル処理の制御フロー（実施形態４）を示す図である。
【図１２】メインスイッチのオフ操作に応じるシャットダウン処理及びオン操作に応じるシャットダウンのキャンセル処理の制御フロー（実施形態５）を示す図である。
【図１３】メインスイッチのオフ操作に応じるシャットダウン処理及びオン操作に応じるシャットダウンのキャンセル処理の制御フロー（実施形態６）を示す図である。
【発明を実施するための形態】
【０００９】
以下、本発明を画像形成装置（例えば、複写機、ファクシミリ装置、プリンタ、複合機など）に適用した実施形態について、添付した図面を参照して説明する。
「実施形態１」
図１は、本発明の実施形態に係る画像形成装置の概略構成を示すブロック図である。
図１に示すように、画像形成装置１は、入力ポート（入力インターフェース）２１及び出力ポート（出力インターフェース）２２を持つコントローラ２と、エンジン３と、ＤＣ電源／ＡＣ制御板４を有する。
コントローラ２は、画像形成装置全体を制御する。なお、コントローラ２は、コンピュータとコンピュータを当該コントローラとして機能させるためのソフトウェア（プログラム）を要素とするソフトウェア構成の制御システムを構築するによって実施することができる。
エンジン３は、用紙に画像を印刷するプリンタエンジン、原稿の画像を読み取るスキャナエンジンなどである。
【００１０】
ＤＣ電源／ＡＣ制御板４は、ＡＣ電源から供給される電力をＤＣ電源に変換して、機器内の各部（ここではコントローラ２及びエンジン３）に供給するための回路を実装した基板（ボード）である。
この実施形態のＤＣ電源／ＡＣ制御板４には、メインスイッチ４１、リレードライバ４２ａ及びリレー４２ｂからなるスイッチ手段４２、電源回路４３及びブレーカー４４を実装する。
ブレーカー４４の一端はＡＣ電源からの電源ラインに接続し、他端はメインスイッチ４１の一端（入力側）及びリレー４２ｂの一端（入力側）に接続する。ブレーカー４４は、ユーザーが手動で開閉（オン／オフ）操作することができ、閉じているときには、ＡＣ電源と、メインスイッチ４１及びリレー４２ｂそれぞれの入力側とが電源ラインに接続される。
【００１１】
メインスイッチ４１は、ユーザーによって随時に投入／遮断操作をすることができ、ユーザーが投入／遮断操作をすると、これに連動して開閉（オン／オフ）する２個の開閉接点を備えている。２個の開閉接点の一方、即ちブレーカー４４を通してＡＣ電力が入力される開閉接点（ＡＣ開閉接点）に対応する固定接点（ＡＣ給電接点）ｘ２は電源ラインにより電源回路４３の入力側に接続し、他方の開閉接点、即ちグランド（ＧＮＤ）に接続された開閉接点（ＤＣ開閉接点）に対応する固定接点（低電圧ＤＣ接点）ｘ１は信号ラインによりコントローラ２の入力ポート２１に接続する。
【００１２】
従って、ブレーカー４４がオン（閉）のとき、メインスイッチ４１をオン（接点は閉）にすると、ＡＣ電源からの電力がメインスイッチ４１を通って電源回路４３に供給される。また、低電圧ＤＣ接点ｘ１の状態（グランド電位＝０）が、コントローラ２の入力ポート２１に入力される。他方、メインスイッチ４１をオフ（接点は開）にすると、電源回路４３にはＡＣ電源からの電力が供給されない。さらに、低電圧ＤＣ接点ｘ１の状態（相対的に高電位）が、コントローラ２の入力ポート２１に入力される。つまり、入力ポート２１には、メインスイッチ４１のオン／オフ状態の検出信号１０１が入力される。即ち、メインスイッチ４１のスイッチ状態を検出する手段として、メインスイッチ４１がオン（閉）であれば“Ｌｏｗ”を、他方、オフ（開）であれば“Ｈｉｇｈ”を入力ポート２１に与える。
【００１３】
スイッチ手段４２のリレー４２ｂの他端（出力側）は、電源回路４３の入力側に接続する。従って、ブレーカー４４がオン（閉）のとき、リレー４２ｂをオン（閉）すると、ＡＣ電源からの電力がリレー４２ｂを通って電源回路４３に供給される。
他方、リレー４２ｂをオフ（開）にすると、電源回路４３にはＡＣ電源からの電力が供給されない。リレー４２ｂのオン／オフは、スイッチ手段４２内のリレードライバ４２ａがコントローラ２の出力ポート２２から送信される制御信号１０２を受け、そのレベルが“Ｈｉｇｈ”であるか“Ｌｏｗ”であるかに応じて制御リレーの駆動を制御する。
【００１４】
スイッチ手段４２のリレー４２ｂを制御することにより、電源回路４３への給電は、メインスイッチ４１側の給電ラインがオフになっても、コントローラ２等が動作状態を保つための給電を維持することができるので、不意に行われるメインスイッチ４１のオフ操作により発生しうる動作異常を防ぐことが可能になる。
即ち、メインスイッチのラインだけで給電すると、メインスイッチ４１のオフ操作が不意に行われ、給電が停止すると、このときにコントローラ２の制御システムが動作中であると、必要なデータの不揮発メモリへの待避ができず、電源を再投入して中断した処理を行おうとしても、正常に起動できなくなる不具合が起きる場合がある。
このような不具合を回避するためには、制御システムによってシャットダウン処理を行い、この処理で動作異常が起きないように処理をした後、終了させる手順を行うようにする。なお、後述する実施形態では、実行中のジョブは処理を済ませてからシャットダウン処理を行うようにしているので、ジョブの処理の中断は起きないようにしているが、経時に変化する機器条件等の機器情報は待避が必要なデータとしてシャットダウン処理の対象になる。
こうした手順を実行するには、シャットダウン処理を行うまでのコントローラ２への給電が必要となる。この給電制御は、メインスイッチ４１のオン／オフ状態を検出する手段によって得られる検出信号１０２をもとに、コントローラ２が給電維持を判断して、スイッチ手段４２のリレードライバ４２ａの駆動を制御し、リレー４２ｂをオン／オフさせることによって必要な期間、スイッチ手段４２側の給電ラインを通して電源を供給する。
【００１５】
上記画像形成装置（図１）において、メインスイッチ４１がユーザーのオン操作によって閉状態になり、画像形成動作が可能な状態に立ち上がるときの動作を先ず説明する。
メインスイッチ４１がオン操作されて、接点が閉状態になると、電源回路４３にはＡＣ電源が供給される。電源回路４３は、ＡＣ電源をエンジン３とコントローラ２のそれぞれの動作に必要な所定レベルのＤＣ電源に変換して、それぞれに供給する。電源供給によって起動するエンジン３とコントローラ２は、初期化を経てジョブの処理が可能な状態になり、コピー等のジョブが投入されると、初期化により設定された動作条件及びユーザーの指示する処理条件に従い画像形成装置１を動作させる。
このとき、メインスイッチ４１のオン／オフ状態をコントローラ２に出力する検出信号１０１は、メインスイッチ４１がオン（閉）状態であることをコントローラ２へ出力する。コントローラ２は、メインスイッチ４１側の給電ラインからの電源をもとに電源回路４３を経てＤＣ電源が供給される場合には、スイッチ手段４２には制御信号１０２を出力せず、スイッチ手段４２のリレー４２ｂはオフ（開）状態を保つ。このため、スイッチ手段４２側の給電ラインは遮断され、この間のスイッチ手段４２によるエネルギー損失を抑える。
【００１６】
また、メインスイッチ４１がユーザーのオフ操作によって開状態になり、画像形成動作が停止されるときの動作を説明する。
メインスイッチ４１がオフ操作されて、接点が開状態になると、電源回路４３へのＡＣ電源の供給が遮断される。電源回路４３のＤＣ出力電圧は、ＡＣ電源の供給が遮断されるので、その入出力のコンデンサ容量による保持時間を経た後、消失する。メインスイッチ４１のオン／オフ操作状態をコントローラ２に出力する検出信号１０１は、直ちにメインスイッチ４１が開状態となったことをコントローラ２へ出力する。なお、このとき、コントローラ２は、電源回路４３の上記ＤＣ電源保持時間中にこの検出信号１０１を受けとる。
メインスイッチオフの検出信号１０１を受けとったコントローラ２は、画像形成装置１がジョブの入力を待つ待機状態であれば、スイッチ手段４２に制御信号１０２を出力せずに、通常のシャットダウン処理を行い、電源を切る。
【００１７】
他方、メインスイッチオフの検出信号１０１を受けとったときに、画像形成装置１がジョブを実行中であれば、コントローラ２は、スイッチ手段４２に制御信号１０２を出力してリレー４２ｂの接点をオン（閉）状態とし、電源回路４３へＡＣ電源を供給する。
このため電源回路４３は、メインスイッチ４１側の給電ラインからの電源が遮断された後に、再度スイッチ手段４２側の給電ラインからの給電を受け、ＡＣ電源からＤＣ電源への変換を始め、電源回路４３の上記ＤＣ電源保持時間が経過する前にエンジン３及びコントローラ２へのＤＣ電源供給を始める。このため、画像形成装置１の動作は中断されず、実行中だったジョブを完了させることができる。
また、コントローラ２は、実行中だったジョブを完了させた時点でシャットダウン処理を行うと共に、スイッチ手段４２への制御信号１０２として、リレー４２ｂに対する指示をオンからオフに切換える信号を送るので、スイッチ手段４２側の給電ラインから電源回路４３へのＡＣ電源の供給が遮断され、電源回路４３のＤＣ電源保持時間を経た後に、電源回路４３のＤＣ出力が消失する。
【００１８】
次に、メインスイッチ４１の操作に応じて行われる本実施形態の画像形成装置１（図１）の動作を図２乃至５を参照してさらに詳細に説明する。
＜メインスイッチのオフ操作に応じ、シャットダウン処理で終了する動作＞
以下には、メインスイッチのオン操作に応じてジョブの処理が可能な状態に画像形成装置１が起動し、その後メインスイッチのオフ操作に応じシャットダウン処理を行い、電源をオフするまでの動作について、画像形成装置１内の各部の動作状態の遷移を示す図２及び図３を参照して説明する。
なお、メインスイッチ４１のオフ操作が行われるタイミングが、待機中に行われた場合とジョブ実行中に行われた場合では、動作が異なるので、以下では、それぞれを分けて説明する。
【００１９】
“待機中にメインスイッチをオフした場合”
図２は、待機中にメインスイッチをオフした場合における画像形成装置１の動作状態の遷移を示すタイミング図である。
図２において、画像形成装置１の動作状態を表す各要素をＡ〜Ｆとして挙げ、図面の右に向けて経過する時間をとって、要素Ａ〜Ｆごとに動作状態を示す。ここに、画像形成装置１の動作状態を表す要素Ａ〜Ｆは、それぞれ次を意味する。
Ａ：メインスイッチ４１のオン／オフの状態を示す。
Ｂ：メインスイッチ４１のオン／オフ検出信号１０１で、“Ｌｏｗ”はオンを、“Ｈｉｇｈ”はオフを示す。
Ｃ：電源回路４３へのＡＣ電源の給電状態を示す。
Ｄ：スイッチ手段４２のリレー４２ｂをオン／オフする制御信号１０２で、“Ｈｉｇｈ”がオンを、“Ｌｏｗ”がオフを示す。
Ｅ：電源回路４３からのＤＣ電源の出力状態を示す。
Ｆ：ソフトウェア（制御システム）が実行する処理内容を示す。
なお、図２中の時間軸上のｔ１〜ｔ５は、特定の状態変化（後記で詳述）が起きるタイミングを示す。
【００２０】
図２を参照しながら、メインスイッチ４１がオフ、即ち電源オフでコントローラ２（制御システム）が停止した状態からの動作状態の変化を説明する。
電源オフの状態からタイミングｔ１において、ユーザーがメインスイッチ４１をオン操作すると（図２中、Ａのオフ→オン）、電源回路４３へＡＣ電源が供給される（図２中、Ｃの０Ｖ→１００Ｖ）。電源回路４３は、ＡＣ電源の供給を受け、ＤＣ電源への変換を始め、変換したＤＣ電源をコントローラ２及びエンジン３に出力する（図２中、Ｅのオフ→オン）。
電源回路４３から供給されるＤＣ電源が所定の電圧に立ち上がったタイミングｔ２において、このＤＣ電源の供給を受けるコントローラ２は、ソフトウェアの起動を掛けて、制御システムを構成する動作を開始し、ジョブの処理が可能な状態に起動処理を行い（図２中、Ｆの起動処理の期間）、起動処理を終了したタイミングｔ３において、ジョブ等の指示が与えられるのを待つ待機状態に入る。なお、起動処理は、画像形成装置の場合、エンジン３も起動する。
起動処理終了後のタイミングｔ３で、立ち上がった制御システム（ソフト処理）は、メインスイッチ４１のオン／オフ検出信号１０１の状態をチェックする（図２中、Ｆの終了時の処理）。
このチェックの結果、検出信号１０１が“Ｌｏｗ（オン）”なので、コントローラ２から出力される制御信号１０２は“Ｌｏｗ（オフ）”となり、スイッチ手段４２側の給電ラインから電源回路４３への給電は遮断したままである（図２中、タイミングｔ３におけるＢの状態）。
【００２１】
次に、ジョブ等の指示が与えられるのを待つ待機中にメインスイッチ４１がオフ操作された場合の動作状態の変化を説明する。
電源オンの状態からタイミングｔ４において、ユーザーがメインスイッチ４１をオフ操作すると（図２中、Ａのオン→オフ）、メインスイッチ４１側の給電ラインから電源回路４３へのＡＣ電源が遮断される（図２中、Ｃの１００Ｖ→０Ｖ）。
また、メインスイッチ４１がオフ操作されたタイミングｔ４と同期して、メインスイッチ４１の検出信号１０１が“Ｈｉｇｈ（オフ）”になるので、コントローラ２から出力される制御信号１０２は“Ｈｉｇｈ（オン）”となり（図２中、タイミングｔ４におけるＢ及びＤの状態）、スイッチ手段４２側の給電ラインから電源回路４３へ給電されることになる。
【００２２】
このとき、メインスイッチ４１側の給電ラインからの電源が遮断され、電源回路４３へのＡＣ電源供給が一瞬落ちるが、電源回路４３のＤＣ出力保持時間が終了する前にスイッチ手段４２側の給電ラインから電源回路４３へのＡＣ電源が再び供給されることにより、コントローラ２、エンジン３等への電源回路４３のＤＣ出力は落ちることなく継続して供給される（図２中、タイミングｔ４におけるメインスイッチ４１のオフに関連する動作によるＣ及びＥの状態）。
更に、コントローラ２は、メインスイッチ４１をオフしたタイミングｔ４で現在の動作状態に合わせた手順で処理を実行するために、画像形成装置１の動作状態を確認する。図２の動作例では、待機状態にあるから、直ぐにシャットダウン調整期間に移行することができる場合である。従って、シャットダウン処理開始待ちを経て、シャットダウン調整期間に入り、この期間の経過後にシャットダウン処理を開始する。なお、シャットダウン調整期間は、後述するシャットダウン処理のキャンセル動作（図２の動作例では行わない）に関係する期間であり、後記で詳細に説明する。
コントローラ２は、シャットダウン処理が終了すると、制御信号１０２を“Ｌｏｗ（オフ）”にすることで、スイッチ手段４２側の給電ラインから電源回路４３へのＡＣ電源を遮断し、コントローラ２、エンジン３等への電源回路４３のＤＣ出力もオフとなり、電源オフ状態となる（図２中、タイミングｔ５におけるＢ、Ｃ、Ｄ及びＥの状態）。
【００２３】
“ジョブ実行中にメインスイッチをオフした場合”
図３は、ジョブ実行中にメインスイッチをオフした場合における画像形成装置１の動作状態の遷移を示すタイミング図である。なお、図中に示すＡ〜Ｆ（各部の動作状態を表す要素）とｔ１〜ｔ５（タイミング）は図２と同義である。また、電源オフの状態から機器を立ち上げ、待機状態になるまでの動作は、上記図２の動作と変わらないので、上述の動作説明を参照することとし、ここでは記載を省略する。
次に、待機中にジョブ等の指示を受け、ジョブの実行中にメインスイッチ４１がオフ操作された場合の動作を説明する。
ジョブの実行中におけるタイミングｔ４において、ユーザーがメインスイッチ４１をオフ操作すると（図３中、Ａのオン→オフ）、コントローラ２は、この時点の動作状態に合わせた手順で処理を実行するために、画像形成装置１の動作状態を確認する。
図３の動作例では、ジョブの実行中であるから、実行中のジョブを継続して処理し、ジョブの終了後、シャットダウン処理を行い電源オフで終了する。
【００２４】
メインスイッチ４１のオフ操作に対応して実行中のジョブを継続して処理する場合に、電源回路４３からのＤＣ出力を維持するための制御動作は、図２におけるタイミングｔ４のＡ〜Ｅの各動作と同じであるから、上述の説明を参照する。
タイミングｔ４における動作で電源回路４３からのＤＣ出力が維持されるので、実行中のジョブの処理が継続して行え、ユーザーの指示した処理を完了することができる。
コントローラ２は、実行中のジョブの処理を終了した後、シャットダウン処理を行うが、この実施形態ではシャットダウン調整期間を設けるので、この期間に移行する。
シャットダウン調整期間に入り、この期間の経過後にシャットダウン処理を開始する。なお、シャットダウン調整期間は、後述するシャットダウン処理のキャンセル動作（図３の動作例では行わない）に関係する期間であり、後記で詳細に説明する。
コントローラ２は、シャットダウン処理が終了すると、制御信号１０２を“Ｌｏｗ（オフ）”にすることで、スイッチ手段４２側の給電ラインから電源回路４３へのＡＣ電源を遮断し、コントローラ２、エンジン３等への電源回路４３のＤＣ出力もオフとなり、電源オフ状態となる（図３中、タイミングｔ５におけるＢ、Ｃ、Ｄ及びＥの状態）。
【００２５】
＜メインスイッチのオフ操作に応じるシャットダウン処理がキャンセルされる場合の動作＞
上記では、随時に操作が可能なメインスイッチ４１のオフ操作によって電源がオフされた場合に、スイッチ手段４２側の給電ラインで電源を維持した上で、シャットダウン処理を行って動作を復旧できる状態で電源オフにする動作、或いは処理中のジョブを済ませてシャットダウン処理を経て電源オフにする動作を行うための構成を示した。
ただ、メインスイッチ４１のオフ操作に従いメインコントローラ２がシャットダウン処理等の終了処理に移行する動作を開始した後、ユーザーがオフ操作を誤って行ったことに気付いた場合、即時にジョブを処理可能な状態（待機状態）に復旧させたいという要求になって表れる。この実施形態では、こうした要求に応え、簡単な操作で終了処理をキャンセルして、待機状態への復旧処理を行うための手段を備える。
【００２６】
この実施形態では、この処理を行うための手段として、メインスイッチ４１のオフ操作に従いコントローラ２がスイッチ手段４２側の給電ラインの電源供給を受けて終了処理に移行する動作を開始した後、予め定められた時間内にメインスイッチ４１のオン操作が行われた場合に、予定していたシャットダウン処理をキャンセルして、即時にジョブの処理が可能な待機状態に戻せるようにする手段を備える。
上記の予め定められた時間は、設定する時間の長さによって、メインスイッチ４１のオフ操作の後、待機状態に戻すことができるタイミング、つまりはシャットダウン処理を開始するタイミング（待機状態に戻すことができるようにするためにシャットダウン処理を開始しない）を調整する時間であり、ここでは、この時間により決まる期間を「シャットダウン調整期間」という。この実施形態では、このシャットダウン調整期間は、メインスイッチ４１のオフ操作に応じて、スイッチ手段４２側の給電ラインの電源供給に切換える制御信号１０２によってリレー４２ｂをオンした時点から予め定められた時間をこの期間とする。
【００２７】
以下には、メインスイッチ４１のオン操作に応じてジョブの処理が可能な状態に画像形成装置１が起動し、その後メインスイッチ４１のオフ操作に応じて行うことを予定したシャットダウン処理をキャンセルし、待機状態に戻すまでの動作について、画像形成装置１内の各部の動作状態の遷移を示す図４及び図５を参照して説明する。
なお、上記メインスイッチ４１のオフ操作が、待機中に行われた場合とジョブ実行中に行われた場合では、シャットダウン処理のキャンセル動作が異なるので、以下では、それぞれを分けて説明する。
【００２８】
“メインスイッチのオフ操作が待機中に行われた場合のシャットダウン処理のキャンセル”
図４は、待機中にメインスイッチ４１をオフした後に、再度メインスイッチ４１をオンしてシャットダウン処理をキャンセルした場合における画像形成装置（図１）の動作状態の遷移を示すタイミング図である。なお、図中に示すＡ〜Ｆ（各部の動作状態を表す要素）とｔ１〜ｔ４（タイミング）は図２と同義である。後述するが、ｔ５はシャットダウン調整期間中におけるメインスイッチ４１のオン操作タイミングであり、ｔ６は待機状態への復帰タイミングを示す。また、電源オフの状態から機器を立ち上げ、待機状態になり、待機中にメインスイッチ４１のオフ操作が行われシャットダウン調整期間に至るまでの動作は、上記図２の動作と変わらないので、上述の動作説明を参照することとし、ここでは記載を省略する。
【００２９】
次に、シャットダウン調整期間中にメインスイッチ４１がオン操作された場合（タイミングｔ５）以降の動作を説明する。
シャットダウン調整期間中におけるメインスイッチ４１のオン操作は、予定しているシャットダウン処理をキャンセルして、待機状態に戻す要求であると判断される。この実施形態では、コントローラ２は、シャットダウン調整期間においてメインスイッチ４１のオン操作を検出信号１０１に基づいてチェックする。つまり、メインスイッチ４１のオン操作を検出信号１０１の“Ｌｏｗ（オン）”により検出し、この検出を行ったタイミングｔ５がシャットダウン調整期間内である（図４中、タイミングｔ５におけるＡ、Ｂ及びＦの状態）という判断のもとに、シャットダウン処理に移行せず、待機状態に戻す動作を行う。
待機状態に戻す動作は、メインスイッチ４１のオン操作の後、メインスイッチ４１側の給電ラインからの電源が電源回路４３に供給され、電源回路４３のＤＣ電源の出力は落ちることなく維持できるので、スイッチ手段４２への制御信号１０２を“Ｌｏｗ（オフ）”にすることでスイッチ手段４２側の給電ラインの電源供給を遮断する。また、シャットダウン調整期間経過後のタイミングｔ６で待機状態に移行する動作を行う。
【００３０】
“メインスイッチのオフ操作がジョブ実行中に行われた場合のシャットダウン処理のキャンセル”
図５は、ジョブ実行中にメインスイッチ４１をオフした後に、再度メインスイッチ４１をオンしてシャットダウン処理をキャンセルした場合における画像形成装置１（図１）の動作状態の遷移を示すタイミング図である。なお、図中に示すＡ〜Ｆ（各部の動作状態を表す要素）とｔ１〜ｔ４（タイミング）は図３と同義である。後述するが、ｔ５はシャットダウン調整期間中におけるメインスイッチ４１のオン操作タイミングであり、ｔ６は待機状態への復帰タイミングを示す。また、電源オフの状態から機器を立ち上げ、待機状態を経た後、受付けたジョブの処理を開始し、ジョブ実行中にメインスイッチ４１のオフ操作が行われシャットダウン調整期間に至るまでの動作は、上記図３の動作と変わらないので、上述の動作説明を参照することとし、ここでは記載を省略する。
【００３１】
次に、シャットダウン調整期間中にメインスイッチ４１がオン操作された場合（タイミングｔ５）以降の動作を説明する。
シャットダウン調整期間中におけるメインスイッチ４１のオン操作は、予定しているシャットダウン処理をキャンセルして、待機状態に戻す要求であると判断される。この実施形態では、コントローラ２は、シャットダウン調整期間においてメインスイッチ４１のオン操作を検出信号１０１に基づいてチェックする。つまり、メインスイッチ４１のオン操作を検出信号１０１の“Ｌｏｗ（オン）”により検出し、この検出を行ったタイミングｔ５がシャットダウン調整期間内である（図５中、タイミングｔ５におけるＡ、Ｂ及びＦの状態）という判断のもとに、シャットダウン処理に移行せず、待機状態に戻す動作を行う。
待機状態に戻す動作は、メインスイッチ４１のオン操作の後、メインスイッチ４１側の給電ラインからの電源が電源回路４３に供給され、電源回路４３のＤＣ電源の出力は落ちることなく維持できるので、スイッチ手段４２への制御信号１０２を“Ｌｏｗ（オフ）”にすることでスイッチ手段４２側の給電ラインの電源供給を遮断する。また、シャットダウン調整期間経過後のタイミングｔ６で待機状態に移行する動作を行う。
【００３２】
＜メインスイッチの操作に応じてコントローラが実行する制御フロー＞
次に、本実施形態の画像形成装置１（図１）がメインスイッチ４１のオン／オフ操作に応じて実行する制御動作を図６に示す制御フローに基づいて説明する。
画像形成装置１のコントローラ２は、図６に示す制御フローに従った動作を実行し、この制御動作によって、異なる条件に応じて行われる上記図２〜５に示したそれぞれの動作を行うことを可能にする。
この制御フローは、ユーザーがメインスイッチ４１をオン操作し、ＡＣ電源が供給されると、この電源の供給を受けて電源回路４３からＤＣ電源がコントローラ２へ出力され、起動される。
この制御フローは起動されると、先ず、起動処理を行う（ステップＳ１０１）。起動処理は、ジョブの処理が可能な状態に制御システムを立ち上げるための処理で、初期化といわれる処理を含む。
【００３３】
起動処理が終わると待機状態になって、メインスイッチ４１のオン／オフ検出信号１０１の状態をチェックする（ステップＳ１０２）。この制御フローでは、ユーザーがメインスイッチ４１をオフ操作し、検出信号１０１が“Ｈｉｇｈ”（スイッチオフ）になるまで、次のステップＳ１０３への移行は行わない。なお、画像形成装置１の動作としては、検出信号１０１が“Ｌｏｗ”（スイッチオン）である間、ジョブの処理要求があれば、ジョブの処理を実行する。
ここで、ユーザーによってメインスイッチ４１のオフ操作が行われると、検出信号１０１“Ｈｉｇｈ”が生じる（ステップＳ１０２-YES）。
検出信号１０１“Ｈｉｇｈ”の発生を受け、直ぐスイッチ手段４２に制御信号１０２“Ｈｉｇｈ”を送信し、スイッチ手段４２側の給電ラインによる電源供給を行う（ステップＳ１０３）。
制御信号１０２を“Ｈｉｇｈ”にした時点で実行中のジョブがあれば（ステップＳ１０４-YES）、次のシャットダウン調整期間へ移行（ステップＳ１０５）のステップに進ませないで、実行中のジョブの処理が終了するまで待つ。
実行中のジョブの処理が終了したところで（ステップＳ１０４-NO）、シャットダウン調整期間に移行する（ステップＳ１０５）。
【００３４】
シャットダウン調整期間では、シャットダウン処理のキャンセルを受付ける。即ち、ステップＳ１０２でユーザーが行ったオフ操作が誤りであったことに気付いたときに、再びメインスイッチ４１を操作する（オン操作）ことによって、シャットダウン処理をキャンセルし、待機状態に戻すことが可能になる。そこで、シャットダウン調整期間において、メインスイッチ４１のオン操作が行われ、シャットダウン処理のキャンセルが指示されたか否かを、検出信号１０１が“Ｌｏｗ”（スイッチオン）になったか否かによってチェックする（ステップＳ１０６）。
ここで、検出信号１０１が“Ｌｏｗ”（スイッチオン）であれば（ステップＳ１０６-YES）、シャットダウン処理のキャンセルが指示された場合であるから、待機状態に戻すための処置として、先ず、ステップＳ１０３で“Ｈｉｇｈ”にした制御信号１０２を“Ｌｏｗ”にして、スイッチ手段４２側の給電ラインの電源供給を遮断する（ステップＳ１１１）。これは、メインスイッチ４１のオン操作（ステップＳ１０６）によって、既にメインスイッチ４１側の給電ラインの電源が供給されているからである。
次いで、シャットダウン調整期間の終了を確認して（ステップＳ１１２-NO）、待機状態、即ちステップＳ１０２に戻す。
【００３５】
他方、ステップＳ１０６でメインスイッチ４１のオン操作が行われず（ステップＳ１０６-NO）シャットダウン調整期間を経過した場合（ステップＳ１０７-NO）、シャットダウン処理を実行する（ステップＳ１０８）。
シャットダウン処理が終了すると、ステップＳ１０３で“Ｈｉｇｈ”にした制御信号１０２を“Ｌｏｗ（オフ）”にする（ステップＳ１０９）。
制御信号１０２を“Ｌｏｗ（オフ）”にすると、スイッチ手段４２側の給電ラインから電源回路４３へのＡＣ電源が遮断され、コントローラ２、エンジン３等への電源回路４３のＤＣ出力もオフとなり、電源オフ状態となる（ステップＳ１１０）。
電源オフ状態にして、この制御フローを終了する。
上記のように、この実施形態によると、誤ってメインスイッチ４１のオフ操作を行って電源を切ったりした場合、或いは第三者に電源を切られた場合に、メインスイッチ４１のオン操作という簡単かつ自然な操作でシャットダウン処理をキャンセルでき、迅速にユーザーの意図した動作状態に復帰させることができる。また、不具合解析を実施している時など、シャットダウン処理を実施してしまうことによる不具合再現率の低下を防止することが可能となる。
【００３６】
「実施形態２」
この実施形態は、上記実施形態１におけるシャットダウン処理のキャンセルの指示操作が予め定められた時間を経過した後に行われた場合に適応する動作を付加した形態の実施例を示すものである。
上記実施形態１では、メインスイッチ４１のオフ操作に従いコントローラ２がスイッチ手段４２側の給電ラインの電源供給を受けて終了処理に移行する動作を開始した後、予め定められた時間（シャットダウン調整期間）内にメインスイッチ４１のオン操作が行われた場合に、予定していたシャットダウン処理をキャンセルして、即時にジョブの処理が可能な待機状態に戻せるようにした。
ただ、シャットダウン調整期間内にユーザーの指示が間に合わない場合には、予定通り電源オフで終了してしまい、要求するジョブを速く処理して欲しい、というユーザーの要求に応えることができない。そこで、シャットダウン調整期間を経過しても、終了処理（シャットダウン処理を含む）を完了していないうちは、この要求に適うような動作を行うようにする。
この実施形態では、シャットダウン調整期間を経過してユーザーが行ったメインスイッチ４１のオン操作に応じ、制御システムの再起動処理を速やかに行う。具体的には、終了処理（シャットダウン処理を含む）が終わったら即時に再起動を掛けて、待機状態に立ち上げる処理とする。
【００３７】
以下には、上記実施形態１で上記図４，５に示した動作において、シャットダウン調整期間内にすべきシャットダウン処理のキャンセルの指示が間に合わない場合に、実行中の終了処理が終わったら即時に再起動を掛けて、待機状態に立ち上げるまでの動作について、画像形成装置１内の各部の動作状態の遷移を示す図７を参照して説明する。
なお、この実施形態で付加された動作は、シャットダウン処理（終了処理）期間において行われるユーザーの操作に従って行う動作、つまりシャットダウン処理以降の動作であるから、シャットダウン処理の原因となるメインスイッチ４１のオフ操作が、待機中に行われたか、或いはジョブ実行中に行われたかとは関係がない。従って、以下には、待機中にメインスイッチ４１のオフ操作が行われた例のみについて説明する。
【００３８】
図７は、待機中にメインスイッチ４１をオフすることによって行われるシャットダウン処理のキャンセル操作が間に合わず、再起動を掛ける場合における画像形成装置１（図１）の動作状態の遷移を示すタイミング図である。なお、図中に示すＡ〜Ｆ（各部の動作状態を表す要素）とｔ１〜ｔ４（タイミング）は図２と同義である。後述するが、ｔ５はシャットダウン調整期間経過後におけるメインスイッチ４１のオン操作タイミングであり、ｔ６は再起動処理を開始するタイミングを示す。また、電源オフの状態から機器を立ち上げ、待機状態になり、待機中にメインスイッチ４１のオフ操作が行われシャットダウン調整期間に至るまでの動作は、上記図２の動作と変わらないので、上述の動作説明を参照することとし、ここでは記載を省略する。
【００３９】
次に、シャットダウン調整期間経過後にメインスイッチ４１がオン操作された場合（タイミングｔ５）以降の動作を説明する。
図７の動作では、シャットダウン調整期間中にユーザーの操作がなく、シャットダウン処理が開始され、シャットダウン処理中のタイミングｔ５でメインスイッチ４１のオン操作が行われる。このタイミングのオン操作は、処理中のシャットダウン処理の終了時に、直ちに再起動を掛ける要求であると判断される。この実施形態では、コントローラ２は、シャットダウン処理期間においてメインスイッチ４１のオン操作を検出信号１０１に基づいてチェックする。つまり、メインスイッチ４１のオン操作を検出信号１０１の“Ｌｏｗ（オン）”により検出し、この検出を行ったタイミングｔ５がシャットダウン処理期間である（図７中、タイミングｔ５におけるＡ、Ｂ及びＦの状態）という判断のもとに、シャットダウン処理の終了時に、直ちに再起動を掛ける動作を行う。
シャットダウン処理が終了するタイミングｔ６で再起動処理を行う。再起動の際には、メインスイッチ４１のオン操作が既に行われ、メインスイッチ４１側の給電ラインからの電源が電源回路４３に供給されており、電源回路４３のＤＣ電源の出力は通常の状態にあるが、スイッチ手段４２への制御信号１０２は“Ｈｉｇｈ（オン）”であるから、これを“Ｌｏｗ（オフ）”にすることでスイッチ手段４２側の給電ラインの電源供給を遮断する。再起動処理は、機器を適正に動作させるために必要な動作条件として、シャットダウン処理で待避させた各種の設定データを再び設定する処理等、ジョブの処理ができる状態に立ち上げるための処理を行う。
【００４０】
次に、本実施形態の画像形成装置１がメインスイッチ４１のオン／オフ操作に応じて実行する制御動作を図８に示す制御フローに基づいて説明する。
画像形成装置１のコントローラ２は、図８に示す制御フローに従った動作を実行し、この制御動作によって、図２〜５、７に示したそれぞれの動作を行うことを可能にする。なお、この制御フローは、実施形態１に付加した本実施形態の動作（即ち、シャットダウン処理のキャンセルの指示操作が予め定められた時間を経過した後に行われた場合に適応する動作）以外は、先に図６を参照して示した制御フローと変わらず、図８のステップＳ２０１〜Ｓ２１１と図６のステップＳ１０１〜Ｓ１１０は、共通する（ただし、図８のステップＳ２０９は除く）。よって、この共通部分の説明は、図６の説明を参照することとして、ここでは記載を省略する。
【００４１】
図８の制御フローのステップＳ２０５で移行するシャットダウン調整期間では、シャットダウン処理のキャンセルを受付ける。即ち、図８の制御フローにおけるステップＳ２０２で行ったオフ操作が誤りであったことにユーザーが気付いたときに、再びメインスイッチ４１を操作する（オン操作）ことによって、シャットダウン処理をキャンセルし、待機状態に戻すことが可能になる。そこで、シャットダウン調整期間において、メインスイッチ４１のオン操作が行われ、シャットダウン処理のキャンセルが指示されたか否かを、検出信号１０１が“Ｌｏｗ”（スイッチオン）になったか否かによってチェックする（ステップＳ２０６）。
ここで、検出信号１０１が“Ｌｏｗ”（スイッチオン）であれば（ステップＳ２０６-YES）、シャットダウン処理のキャンセルが指示された場合であるから、待機状態に戻すための処置として、先ず、ステップＳ２０３で“Ｈｉｇｈ”にした制御信号１０２を“Ｌｏｗ”にして、スイッチ手段４２側の給電ラインの電源供給を遮断する（ステップＳ２１２）。これは、メインスイッチ４１のオン操作（ステップＳ２０６）によって、既にメインスイッチ４１側の給電ラインの電源が供給されているからである。
次いで、シャットダウン調整期間の終了を確認して（ステップＳ２１３-NO）、待機状態、即ちステップＳ２０２に戻す。
【００４２】
他方、ステップＳ２０６でメインスイッチ４１のオン操作が行われず（ステップＳ２０６-NO）シャットダウン調整期間を経過した場合（ステップＳ２０７-NO）、シャットダウン処理を実行する（ステップＳ２０８）。
この制御フローでは、シャットダウン調整期間に間に合わずに、シャットダウン処理のキャンセルの指示操作が行われた場合に、シャットダウン処理を終えたら、即時に再起動を掛けて、待機状態に立ち上げる処理を行うようにする。この処理の指示は、シャットダウン処理の実行中に行われるメインスイッチ４１のオン操作によって判断する。よって、ステップＳ２０８のシャットダウン処理が開始された後、シャットダウン処理が済んでいないことを確認して（ステップＳ２０９-NO）、メインスイッチ４１のオン操作が行われたか否かをチェックする（ステップＳ２１４）。
ここで、メインスイッチ４１のオン操作が行われない場合（ステップＳ２１４-NO）、シャットダウン処理が終了するまで（ステップＳ２０９-YES）、メインスイッチ４１のオン操作のチェックを繰返す。
【００４３】
他方、ステップＳ２１４でメインスイッチ４１のオン操作が確認できた場合（ステップＳ２１４-YES）、シャットダウン処理の終了を確認して（ステップＳ２１５-YES）、ステップＳ２０３で“Ｈｉｇｈ”にした制御信号１０２を“Ｌｏｗ（オフ）”にして、スイッチ手段４２側の給電ラインの電源供給を遮断する（ステップＳ２１６）。
また、シャットダウン処理の終了後、直ちに再起動処理を行う（ステップＳ２１７）。再起動処理は、機器を適正に動作させるために必要な動作条件としてシャットダウン処理で待避させた各種の設定データを再び設定する処理等を行い、ジョブの処理ができる状態に立ち上げる。
再起動処理の後、待機状態、即ちステップＳ２０２に戻す。
上記のように、この実施形態によると、シャットダウン処理のキャンセルの指示操作として行うメインスイッチ４１をオン操作するタイミングが遅く、キャンセル処理が間に合わなかった場合でも、シャットダウン処理終了後に直ちにコントローラ２の制御システムが再起動されるので、システムとして動作が保証され、処理が迅速に行える。
【００４４】
「実施形態３」
この実施形態は、シャットダウン処理のキャンセルを可能にした上記実施形態１において、キャンセルの実行をユーザーに報知する手段を付加した形態の１例を示すものである。
上記実施形態１では、メインスイッチ４１のオフ操作に従いコントローラ２がスイッチ手段４２側の給電ラインの電源供給を受けて終了処理に移行する動作を開始した後、予め定められた時間（シャットダウン調整期間）内にメインスイッチ４１のオン操作が行われた場合に、予定していたシャットダウン処理をキャンセルして、即時にジョブの処理が可能な待機状態に戻せるようにしている。
ただ、シャットダウン処理のキャンセルは、一旦メインスイッチ４１のオフ操作を行い、電源オフを指示した後に、前の指示を打消すメインスイッチ４１のオン操作をシャットダウン調整期間という制限された期間内で行うことにより実行が可能になるので、２度行った指示操作のどちらが有効であるかが分からずに、ユーザーを戸惑わせる。そこで、この実施形態では、シャットダウン処理のキャンセルが実行される場合に、ユーザーインターフェースとして機能する操作パネル（報知・操作手段）を通じて、この旨を報知する。
【００４５】
図９は、本実施形態に係る画像形成装置の概略構成を示すブロック図である。
図９の画像形成装置１は、本実施形態で付加構成とする操作パネル（報知・操作手段）５を実施形態１の画像形成装置１（図１）に組込んでいる以外に、両者は基本的な違わない。図９と図１における同一の構成要素には、共通の参照番号を振っており、装置構成については、先に図１を参照して説明したとおりである。従って、ここでは、図１の説明を参照することとして、記載を省略する。
図９の画像形成装置１の操作パネル５は、ユーザーに画像形成装置１の動作状態等の各種の機器情報を報知する表示手段（画面、ランプ、音響等）と、ユーザーが画像形成装置１に対して行う動作条件等の指示（入力）操作を行う操作手段を有し、ユーザーインターフェースとして機能を提供する手段で、コントローラ２の制御下で動作する。
【００４６】
次に、本実施形態の画像形成装置１がメインスイッチ４１のオン／オフ操作に応じて実行する制御動作を図１０に示す制御フローに基づいて説明する。
図１０に示す制御フローは、実施形態２で示した図８の制御フローに基づいた動作を行うことを前提に、シャットダウン処理のキャンセルを行う際、シャットダウン処理がキャンセルされたことを操作パネル５でユーザーに報知する手順を付加している。図８の制御フロー（実施形態１に示した図６の制御フローを含む）は、先に説明したように、図２〜５、７に示したそれぞれの動作を行うことを可能にする手順を有する。つまり、図１０に示す制御フローは、シャットダウン処理のキャンセルをユーザーに報知するための操作パネル５で表示を行う手順（ステップＳ３１９）を付加した点のみが図８の制御フローと異なる。従って、この表示を行う手順（ステップＳ３１９）を除く他の制御フローの手順については、図８の説明を参照することとして、ここでは記載を省略する。
【００４７】
図１０の制御フローのステップＳ３０５で移行するシャットダウン調整期間では、シャットダウン処理のキャンセルを受付ける。即ち、図１０の制御フローにおけるステップＳ３０２で行ったオフ操作が誤りであったことにユーザーが気付いたときに、再びメインスイッチ４１を操作する（オン操作）ことによって、シャットダウン処理をキャンセルし、待機状態に戻すことが可能になる。そこで、シャットダウン調整期間において、メインスイッチ４１のオン操作が行われ、シャットダウン処理のキャンセルが指示されたか否かを、検出信号１０１が“Ｌｏｗ”（スイッチオン）になったか否かによってチェックする（ステップＳ３０６）。
ここで、検出信号１０１が“Ｌｏｗ”（スイッチオン）であれば（ステップＳ３０６-YES）、シャットダウン処理のキャンセルが指示された場合であるから、待機状態に戻すための処置として、先ず、ステップＳ３０３で“Ｈｉｇｈ”にした制御信号１０２を“Ｌｏｗ”にして、スイッチ手段４２側の給電ラインの電源供給を遮断する（ステップＳ３１２）。
【００４８】
同時に、メインスイッチ４１のオン操作をシャットダウン処理のキャンセルの指示として受付けたことをユーザーに報知するために、操作パネル５の表示手段の画面にシャットダウン処理がキャンセルされたことを知らせる表示を行う（ステップＳ３１９）。
次いで、シャットダウン調整期間の終了を確認して（ステップＳ３１３-NO）、待機状態、即ちステップＳ３０２に戻す。
上記のように、この実施形態によると、制御システムの状態を確認しなくても、操作パネル５に設けた表示手段の画面でシャットダウン処理がキャンセルされたことを明示することで、シャットダウン処理がキャンセルできたかどうかを判別でき、ユーザーを戸惑わせることなく、次にとるべき処置を決めることを可能にし、利便性を高めることができる。
【００４９】
「実施形態４」
この実施形態は、上記実施形態１におけるシャットダウン処理のキャンセルの指示に従って行われるシャットダウン処理がキャンセルされたことをユーザーに報知する手段を付加した実施形態の他の例を示すものである。
この実施形態は、上記実施形態３と同様の目的でユーザーへの報知を行う手段を備えたもので、実施形態３とは、報知方法が異なるが、これ以外に違いはない。
この実施形態では、上記実施形態３でシャットダウン処理がキャンセルされたことをユーザーに報知する手段として用いた操作パネル５に設けた表示手段の画面への表示に加えて、操作パネル５に設けた他の報知手段であるブザーを用いる。
【００５０】
図１１は、本実施形態の画像形成装置１がメインスイッチ４１のオン／オフ操作に応じて実行する処理の制御フローを示す図である。
図１１に示す制御フローは、実施形態３で示した図１０の制御フローにおける、シャットダウン処理のキャンセルをユーザーに報知するための手順（ステップＳ３１９）における動作内容のみが図１０の制御フローと異なる。従って、このユーザーへの報知を行う手順（ステップＳ４１９）を除く他の制御フローの手順については、図１０の説明を参照することとして、ここでは記載を省略する。
【００５１】
図１１の制御フローにおけるステップＳ４０６で、検出信号１０１が“Ｌｏｗ”（スイッチオン）であれば（ステップＳ４０６-YES）、シャットダウン処理のキャンセルが指示された場合であるから、待機状態に戻すための処置として、先ず、ステップＳ４０３で“Ｈｉｇｈ”にした制御信号１０２を“Ｌｏｗ”にして、スイッチ手段４２側の給電ラインの電源供給を遮断する（ステップＳ４１２）。
同時に、メインスイッチ４１のオン操作をシャットダウン処理のキャンセルの指示として受付けたことをユーザーに報知するために、操作パネル５の表示手段の画面にシャットダウン処理がキャンセルされたことを知らせる表示を行うとともに、操作パネル５に報知手段として設けたブザーを鳴らす（ステップＳ４１９）。
次いで、シャットダウン調整期間の終了を確認して（ステップＳ４１３-NO）、待機状態、即ちステップＳ４０２に戻す。
上記のように、この実施形態によると、シャットダウン処理がキャンセルされたことを操作パネル５への表示の他に、ブザー音を鳴らして知らせるため、シャットダウン処理をキャンセルしたことを容易に判別でき、画面表示のみでは見過ごす場合にも、状況を確実に知らせることができる。
【００５２】
「実施形態５」
上記各実施形態では、メインスイッチ４１のオフ操作に従いコントローラ２がスイッチ手段４２側の給電ラインの電源供給を受けて終了処理に移行する動作を開始した後、予め定められた時間（シャットダウン調整期間）内にメインスイッチ４１のオン操作が行われた場合に、予定していたシャットダウン処理をキャンセルして、即時にジョブの処理が可能な待機状態に戻せるようにしている。
ただ、上記シャットダウン調整期間が固定であると、使用状況によっては、必ずしもユーザーが望ましいと考えるキャンセル操作のタイミングに適合しない場合が生じる。そこで、この実施形態では、設定されるシャットダウン調整期間の長さをユーザーの操作によって変更可能にする入力手段を備えることによって、最適な動作が得られるようにする。
なお、上記入力手段として、操作パネルを用いるので、本実施形態は、操作パネル（報知・操作手段）５を有する図９に示した構成の画像形成装置１によって実施することができる。
【００５３】
ここで、本実施形態の画像形成装置１がメインスイッチ４１のオン／オフ操作に応じて実行する制御動作を図１２に示す制御フローに基づいて説明する。
図１２に示す制御フローは、実施形態４で示した図１１の制御フローに基づいた動作を行うことを前提に、シャットダウン調整期間の設定手順として、ステップＳ５２０を付加しており、この手順のみが図１１の制御フローと異なる。従って、制御フローにおけるシャットダウン調整期間の設定を行う手順（ステップＳ５２０）を除く他の手順については、図１１の説明（図１１に関連する図８及び図６の説明を含む）を参照することとして、ここでは記載を省略する。
なお、この実施形態では、実施形態４の図１１の制御フローを基にしたが、上記実施形態１〜３の制御フローにも勿論適用してもよい。
【００５４】
図１２の制御フローでは、ステップＳ５０１で起動処理が終了し、ジョブの処理が可能な状態に画像形成装置１が立ち上がると、ユーザーが操作パネル５を通じて処理を要求できる状態になるので、このときに表示する初期画面からユーザーが各種の動作条件を指示し、設定を行うための入力画面が開けるようにする。
その設定用の入力画面の一つにシャットダウン調整期間の設定用画面を用意し、設定用画面への入力操作によってユーザーが求める長さの設定を行う（ステップＳ５２０）。なお、この設定に用いる入力手段は、例えば、設定範囲内の任意の値を入力可能にする方法を採用することができる。
ステップＳ５２０で設定されたシャットダウン調整期間は、後段のシャットダウン調整期間を管理するステップＳ５０７で用いられ、この期間内において、メインスイッチ４１のオン操作が行われ、シャットダウン処理のキャンセルが指示されたか否かを、検出信号１０１が“Ｌｏｗ”（スイッチオン）になったか否かによってチェックする（ステップＳ５０６）。
上記のように、この実施形態によると、シャットダウン調整期間をユーザーが求める長さに設定できるので、ユーザーにとって最適な動作条件でシャットダウン処理のキャンセルが指示でき、また、不要にシャットダウン調整期間を長くすることがなく、パフォーマンスを向上させることができる。
【００５５】
「実施形態６」
上記各実施形態では、メインスイッチ４１のオフ操作に従いコントローラ２がスイッチ手段４２側の給電ラインの電源供給を受けて終了処理に移行する動作を開始した後、予め定められた時間（シャットダウン調整期間）内にメインスイッチ４１のオン操作が行われた場合に、予定していたシャットダウン処理をキャンセルして、即時にジョブの処理が可能な待機状態に戻せるようにしている。
ただ、シャットダウン処理をキャンセルする、しないに関らず、上記シャットダウン調整期間の経過を待たないと処理が進行しないので、使用状況によっては、シャットダウン処理をキャンセルする動作を行わせない方が、パフォーマンスが良くなることがある。そこで、この実施形態では、シャットダウン処理をキャンセルする手段を働かせるか否かを指示できるようにする、即ち、シャットダウンのキャンセル処理のオン／オフをユーザーの操作によって設定可能にする入力手段を備えることによって、最適な動作が得られるようにする。
なお、上記入力手段として、操作パネルを用いるので、本実施形態は、操作パネル（報知・操作手段）５を有する図９に示した構成の画像形成装置１によって実施することができる。
【００５６】
ここで、本実施形態の画像形成装置１がメインスイッチ４１のオン／オフ操作に応じて実行する制御動作を図１３に示す制御フローに基づいて説明する。
図１３に示す制御フローは、実施形態５で示した図１２の制御フローに基づいた動作を行うことを前提に、シャットダウンのキャンセル処理のオン／オフの設定に係る手順として、ステップＳ６０２、Ｓ６０３及びＳ６０８を付加しており、この手順のみが図１２の制御フローと異なる。従って、制御フローにおけるシャットダウンのキャンセル処理のオン／オフの設定に係る手順（ステップＳ６０２、Ｓ６０３及びＳ６０８）を除く他の手順については、図１２の説明（図１２に関連する図８、図６及び図１１の説明を含む）を参照することとして、ここでは記載を省略する。
なお、この実施形態では、実施形態５の図１２の制御フローを基にしたが、上記実施形態１〜４の制御フローにも勿論適用してもよい。
【００５７】
図１３の制御フローでは、ステップＳ６０１で起動処理が終了し、ジョブの処理が可能な状態に画像形成装置１が立ち上がると、ユーザーが操作パネル５を通じて処理を要求できる状態になるので、このときに表示する初期画面からユーザーが各種の動作条件を指示し、設定を行うための入力画面が開けるようにする。
この実施形態では、その設定用の入力画面として、シャットダウンのキャンセル処理のオン／オフの設定用画面及びシャットダウン調整期間の設定用画面を用意し、先ず、シャットダウンのキャンセル処理のオン／オフの設定用画面で入力された当該キャンセル処理のオン／オフを設定条件として取得する（ステップＳ６０２）。
次いで、ステップＳ６０２で行われたシャットダウンのキャンセル処理の設定がオンであるかオフであるかを確認して（ステップＳ６０３）、キャンセルしない場合（ステップＳ６０３-NO）、シャットダウン調整期間の設定用画面で入力されたシャットダウン調整期間を後段のシャットダウン調整期間を管理するステップＳ６１１で期間管理に用いる条件として取得する（ステップＳ６０４）。
他方、ステップＳ６０３でキャンセルする設定であることを確認した場合（ステップＳ６０３-YES）、直ちに次のステップＳ６０５に移行する。
【００５８】
ステップＳ６０１〜Ｓ６０４が終わると待機状態になって、メインスイッチ４１のオン／オフ検出信号１０１の状態をチェックする（ステップＳ６０５）。この制御フローでは、ユーザーがメインスイッチ４１をオフ操作し、検出信号１０１が“Ｈｉｇｈ”（スイッチオフ）になるまで、次のステップＳ６０６への移行は行わない。
ここで、ユーザーによってメインスイッチ４１のオフ操作が行われると、検出信号１０１“Ｈｉｇｈ”が生じる（ステップＳ６０５-YES）。
検出信号１０１“Ｈｉｇｈ”の発生を受け、直ぐスイッチ手段４２に制御信号１０２“Ｈｉｇｈ”を送信し、スイッチ手段４２側の給電ラインによる電源供給を行う（ステップＳ６０６）。
制御信号１０２を“Ｈｉｇｈ”にした時点で実行中のジョブがあれば（ステップＳ６０７-YES）、次のキャンセル処理のオンをチェックするステップＳ６０８に進ませないで、実行中のジョブの処理が終了するまで待つ。
【００５９】
実行中のジョブの処理が終了したところで（ステップＳ６０７-NO）、ステップＳ６０２で取得したシャットダウンのキャンセル処理の設定条件がオンであるか否かをチェックする（ステップＳ６０８）。
ここで、シャットダウンのキャンセル処理の設定条件がオンであれば（ステップＳ６０８-YES）、シャットダウン調整期間へ移行する（ステップＳ６０９）。
シャットダウン調整期間では、シャットダウン処理のキャンセルを受付ける。即ち、ステップＳ６０５でユーザーが行ったオフ操作が誤りであったことに気付いたときに、再びメインスイッチ４１を操作する（オン操作）ことによって、シャットダウン処理をキャンセルし、待機状態に戻すことが可能になる。そこで、シャットダウン調整期間において、メインスイッチ４１のオン操作が行われ、シャットダウン処理のキャンセルが指示されたか否かを、検出信号１０１が“Ｌｏｗ”（スイッチオン）になったか否かによってチェックする（ステップＳ６１０）。
ここで、検出信号１０１が“Ｌｏｗ”（スイッチオン）であれば（ステップＳ６１０-YES）、シャットダウン処理のキャンセルが指示された場合であるから、シャットダウン処理をキャンセルして、待機状態に戻す。この際の処理は、図１１の制御フローにおけるステップＳ４１２、Ｓ４１９及びＳ４１３の処理と同一で、実施形態４で説明したとおりである。
【００６０】
他方、シャットダウンのキャンセル処理の設定条件がオフであれば（ステップＳ６０８-NO）、シャットダウン調整期間に行うステップＳ６０９〜Ｓ６１１の処理は飛ばして、直ちにシャットダウン処理を実行する（ステップＳ６１２）。
ステップＳ６１２のシャットダウン処理以降の処理の一方は、電源オフで終了するステップＳ６１３、Ｓ６１９、Ｓ６１４及びＳ６１５の処理、他方は、再起動から待機状態に戻すステップＳ６１３、Ｓ６１９、Ｓ６２０、Ｓ６２１及びＳ６２２の処理である。これらの処理は、それぞれ図８の制御フローにおけるステップＳ２０９、Ｓ２１４、Ｓ２１０及びＳ２１１の処理、ステップＳ２０９、Ｓ２１４、Ｓ２１５、Ｓ２１６及びＳ２１７の処理と同一で、実施形態２で説明したとおりである。
上記のように、この実施形態によると、シャットダウン処理をキャンセルする機能を働かせるか否かをユーザーの操作で指示できるようにしたので、ユーザーの使用状況によっては、シャットダウン調整期間を設けない分処理が迅速化され、パフォーマンスを向上させることができる。
【符号の説明】
【００６１】
１・・画像形成装置、２・・コントローラ、３・・エンジン、４・・ＤＣ電源／ＡＣ制御板、５・・操作パネル、４１・・メインスイッチ、４２・・スイッチ手段、４２ｂ・・リレー、４３・・電源回路。
【先行技術文献】
【特許文献】
【００６２】
【特許文献１】特開２００８−６５２４２号公報
【特許文献２】特開２００２−３１２０７５号公報
【図１】
2010282504.tif 000003
【図２】
2010282504.tif 000004
【図３】
2010282504.tif 000005
【図４】
2010282504.tif 000006
【図５】
2010282504.tif 000007
【図６】
2010282504.tif 000008
【図７】
2010282504.tif 000009
【図８】
2010282504.tif 000010
【図９】
2010282504.tif 000011
【図１０】
2010282504.tif 000012
【図１１】
2010282504.tif 000013
【図１２】
2010282504.tif 000014
【図１３】
2010282504.tif 000015